(57)【要約】【課題】  点字による認識性に影響を与えることなく、墨字と点字とを共通の処理シート上に見栄え良く配置できる文字情報処理装置、文字情報処理方法、プログラムおよび記憶媒体を提供する。【解決手段】  共通する処理シートに対して墨字印刷と点字打刻とを行うに際して、１以上のキーワードを含む墨字の墨字データを入力し、前記墨字データに基づいて、前記墨字印刷を行うとともに、前記キーワードの１つを前記墨字の打刻部分として部分指定して、前記打刻部分のみの墨字データに基づいて、前記点字打刻を行うことを特徴とする。【選択図】  図１３
2006103137.tif 000002
【特許請求の範囲】
【請求項１】
共通する処理シートに対して墨字印刷と点字打刻とを行う文字情報処理装置であって、
１以上のキーワードを含む墨字の墨字データを入力する墨字入力手段と、
前記墨字データに基づいて、前記墨字印刷を行う印刷手段と、
前記キーワードの１つを前記墨字の打刻部分として部分指定する打刻部分指定手段と、
前記打刻部分のみの墨字データに基づいて、前記点字打刻を行う打刻手段と、
を備えたことを特徴とする文字情報処理装置。
【請求項２】
前記墨字の属性情報として規定された複数種の属性情報のうちの予め決定された１種の属性情報を、前記墨字の全体に対するデフォルト属性情報として設定するデフォルト属性設定手段と、
前記キーワードの任意の１つに対して、前記複数種の属性情報のうちの前記デフォルト属性情報に代わる任意の１種の属性情報を、部分属性情報として設定する部分属性設定手段と、
をさらに備え、
前記打刻部分指定手段は、
前記複数種の属性情報のうちの任意の１種を属性指定情報として指定する打刻属性指定手段と、
前記属性指定情報と一致する前記部分属性情報が存在するときに、その部分属性情報が設定されたキーワードを前記打刻部分と決定する打刻部分決定手段と、
を有することを特徴とする、請求項１に記載の文字情報処理装置。
【請求項３】
前記部分属性設定手段は、前記墨字データの入力中および入力後の少なくともいずれかにおいて、前記部分属性情報を設定可能なものであり、且つ、前記属性指定情報の指定の前後に拘わらず、独立して設定可能であることを特徴とする、請求項２に記載の文字情報処理装置。
【請求項４】
前記部分属性設定手段は、前記墨字の任意の一部を新たなキーワードとして部分指定可能なキーワード指定手段を有することを特徴とする、請求項２または３に記載の文字情報処理装置。
【請求項５】
前記複数種の属性情報には、文字サイズ、文字書体および文字装飾のいずれかに関して前記デフォルト属性情報を含む複数種の属性情報が含まれることを特徴とする、請求項２ないし４のいずれかに記載の文字情報処理装置。
【請求項６】
前記処理シート上の前記墨字印刷の領域および前記点字打刻の領域の少なくとも一方の配置を、他方に対応して割り付けるために、前寄せ、中寄せおよび後寄せのうちの複数種の割付方法のうちの任意の１を選択する割付選択手段をさらに備えたことを特徴とする、請求項１ないし５のいずれかに記載の文字情報処理装置。
【請求項７】
共通する処理シートに対して墨字印刷と点字打刻とを行う文字情報処理方法であって、
１以上のキーワードを含む墨字の墨字データを入力し、前記墨字データに基づいて、前記墨字印刷を行うとともに、前記キーワードの１つを前記墨字の打刻部分として部分指定して、前記打刻部分のみの墨字データに基づいて、前記点字打刻を行うことを特徴とする文字情報処理方法。
【請求項８】
請求項１ないし６のいずれかに記載の文字情報処理装置を機能させることを特徴とするプログラム。
【請求項９】
請求項８に記載のプログラムを、プログラム処理可能な装置によって読出可能に記憶することを特徴とする記憶媒体。
【発明の詳細な説明】
【技術分野】
【０００１】
本発明は、共通の処理シートに墨字の印刷と点字の打刻とを行う文字情報処理装置、文字情報処理方法、プログラムおよび記憶媒体に関する。
【背景技術】
【０００２】
従来、視覚障害者が認識可能な点字と、視覚障害を有しない晴眼者が視認可能な墨字（点字に対し、通常の印刷文字を指す）とを、同一の処理シート（テープ）に対して並べて（または重ねて）配置して、視覚障害者と晴眼者の両者が認識可能な処理シート（点字ラベル）が知られている（例えば、特許文献１参照）。また、墨字印刷と点字打刻とを同一の文字情報に基づいて実行して、それらが並ぶ処理シートを作成できる文字情報処理装置も知られている（例えば、特許文献２参照）。
【特許文献１】特開平１０−２７５２０６号公報
【特許文献２】特開平１１−３０１０３３号公報
【発明の開示】
【発明が解決しようとする課題】
【０００３】
ところで、墨字では、漢字等を使用して文字数を削減できるほか、比較的小さな文字サイズまで読み取れるために小さくし易いのに比べて、点字では、１文字に対して複数マスを使用するものが有るほか、触読する特性上、マスのサイズをあまり小さくできない。このため、同一の文字情報の墨字と点字とを共通の処理シート上に配置すると、墨字に比べて点字が極端に長くなる問題がある。
【０００４】
一方、点字では、キーワードのみに要約して表現することが、一般的に行われている。例えば「長野県塩尻市中央1-1-10  めぐみ点字図書館」という文字情報も、同一市内の他の図書館と区別する文字情報であることが分かっていれば、「めぐみ」あるいは「めぐみ図書館」だけでも必要十分な同等の情報となり得る。また、区別する他の対象に応じて「めぐみ館」や「点字図書館」等でも良い。
【０００５】
本発明は、点字による認識性に影響を与えることなく、墨字と点字とを共通の処理シート上に見栄え良く配置することができる文字情報処理装置、文字情報処理方法、プログラムおよび記憶媒体を提供することを目的とする。
【課題を解決するための手段】
【０００６】
本発明の文字情報処理装置は、共通する処理シートに対して墨字印刷と点字打刻とを行う文字情報処理装置であって、１以上のキーワードを含む墨字の墨字データを入力する墨字入力手段と、前記墨字データに基づいて、前記墨字印刷を行う印刷手段と、前記キーワードの１つを前記墨字の打刻部分として部分指定する打刻部分指定手段と、前記打刻部分のみの墨字データに基づいて、前記点字打刻を行う打刻手段と、を備えたことを特徴とする。
【０００７】
また、本発明の文字情報処理方法は、共通する処理シートに対して墨字印刷と点字打刻とを行う文字情報処理方法であって、１以上のキーワードを含む墨字の墨字データを入力し、前記墨字データに基づいて、前記墨字印刷を行うとともに、前記キーワードの１つを前記墨字の打刻部分として部分指定して、前記打刻部分のみの墨字データに基づいて、前記点字打刻を行うことを特徴とする。
【０００８】
この文字情報処理装置および文字情報処理方法では、墨字印刷の元になる墨字データ（文字情報）を入力し、それに基づいて墨字印刷を行うので、処理シートに対して文字情報の全てを表現する墨字印刷ができ、また、墨字の一部であるキーワードの１つを打刻部分として部分指定して、その部分のみの墨字データに基づいて点字打刻を行うので、文字情報の一部を表現する点字打刻ができる。この場合、墨字側では全ての文字情報を表現するため、全体として文字情報を失うことが避けられるとともに、省略等によって見栄えが損なわれることもない。一方の点字側では、上述の「めぐみ」や「めぐみ図書館」などのように、連続（範囲）あるいは飛び飛びとなるキーワードの指定を工夫することによって、全ての文字情報を表現する墨字側と同等の情報量を有する情報を表現でき、また、表現する文字情報を省略することによって、点字に要する領域（範囲）が小さくなり、処理シートの見栄えが損なわれる可能性が低くなる。また、この場合、点字のための文字情報は、部分指定のみによって容易且つ効率的に得られる。したがって、点字による認識性に影響を与えることなく、容易且つ効率的に、墨字と点字とを共通の処理シート上に見栄え良く配置できる。なお、この場合のキーワードの部分指定の方法としては、従来からの「キーワード検索」等の方法でも良いし、下記に示す方法でも良い。
【０００９】
また、上述の文字情報処理装置において、前記墨字の属性情報として規定された複数種の属性情報のうちの予め決定された１種の属性情報を、前記墨字の全体に対するデフォルト属性情報として設定するデフォルト属性設定手段と、前記キーワードの任意の１つに対して、前記複数種の属性情報のうちの前記デフォルト属性情報に代わる任意の１種の属性情報を、部分属性情報として設定する部分属性設定手段と、をさらに備え、前記打刻部分指定手段は、前記複数種の属性情報のうちの任意の１種を属性指定情報として指定する打刻属性指定手段と、前記属性指定情報と一致する前記部分属性情報が存在するときに、その部分属性情報が設定されたキーワードを前記打刻部分と決定する打刻部分決定手段と、を有することが好ましい。
【００１０】
この文字情報処理装置では、墨字全体にデフォルト属性情報を設定でき、キーワードには、任意の１種の部分属性情報を設定でき、その一方で、任意の１種の属性情報を属性指定情報として指定できるので、キーワードの部分属性情報と属性指定情報とを一致させることにより、容易且つ効率的にキーワードの部分指定ができ、点字による認識性に影響を与えることなく、墨字と点字とを見栄え良く配置できる。例えば上述の「長野県塩尻市中央1-1-10  めぐみ点字図書館」では、全体をデフォルトの同一文字サイズや同一フォント（明朝体等）とし、デフォルトの「漢字」の入力に対して、キーワードとなる「めぐみ」のみ仮名（ひらがな）とし、属性指定情報として「ひらがな」を指定することにより、「めぐみ」のみを容易且つ効率的に指定できる。この場合、墨字全体と同等の情報量を有するキーワード「めぐみ」なので、墨字と点字との双方で概ね同等の情報量を有する処理シートとなる。また、従来からの一般的なキーワード検索等がまさに検索（部分指定）等のためだけの処理なのに対して、キーワードの「めぐみ」のみを平仮名とすることは、墨字全体に対してその部分を目立たせて墨字印刷を見栄え良くする処理も兼ねるので、全体として処理・操作の効率化が図れる。なお、例えば上述の例において属性指定情報としてデフォルトに一致する文字サイズ等を属性指定情報として指定すれば、墨字全体を打刻部分として指定することもできる。
【００１１】
また、上述の文字情報処理装置において、前記部分属性設定手段は、前記墨字データの入力中および入力後の少なくともいずれかにおいて、前記部分属性情報を設定可能なものであり、且つ、前記属性指定情報の指定の前後に拘わらず、独立して設定可能であることが好ましい。
【００１２】
この文字情報処理装置では、まず、墨字データの入力中に部分属性情報を設定可能な場合、入力終了時点で設定も終了しているので、その後は、属性指定情報を指定するだけで、容易且つ効率的に部分指定ができる。また、入力後に部分属性情報を設定可能な場合、設定する部分属性情報を、墨字の入力終了後に考えても良く、また、それを変更することもできるので、融通性が高く柔軟に対応しやすくなる。もちろん、両方の時点で設定可能であることが最も好ましい。そして、これらの場合、部分属性情報の設定と属性指定情報の指定とを、それらの先後に関係なく独立して行うことができ、双方が完了した時点で打刻部分の部分指定が終了するので、操作性が高くなる。
【００１３】
また、属性指定情報を指定する上述の各文字情報処理装置において、前記部分属性設定手段は、前記墨字の任意の一部を新たなキーワードとして部分指定可能なキーワード指定手段を有することが好ましい。
【００１４】
この文字情報処理装置では、墨字の任意の一部を新たなキーワードとして部分指定できるので、墨字入力前からその中のキーワードが決まっていなくても良く、また、新たに指定したキーワードに対して部分属性情報を設定でき、操作性が良く、各種の墨字に対して柔軟に対応しやすくなる。なお、ここでいう「部分指定」には、例えば上述の「めぐみ図書館」を「め」「ぐ」「み」「図」「書」「館」のように文字毎に指定したり、「め」「ぐみ」「図書」「館」のように任意の部分に分けて指定したり、「めぐみ」「図書館」のように範囲毎にまとめて指定したりする場合を含む。
【００１５】
また、属性指定情報を指定する上述の各文字情報処理装置において、前記複数種の属性情報には、文字サイズ、文字書体および文字装飾のいずれかに関して前記デフォルト属性情報を含む複数種の属性情報が含まれることが好ましい。
【００１６】
この文字情報処理装置では、複数種の属性情報には、文字サイズ、文字書体および文字装飾のいずれか（以下「文字サイズ等」）に関してデフォルト属性情報を含む複数種の属性情報が含まれるため、例えば墨字全体に１種の文字サイズ等を設定し、部分属性情報として、墨字の一部（キーワード）に、全体とは異なる文字サイズ等を設定し、属性指定情報としてその文字サイズ等を指定すれば、そのキーワードを容易且つ効率的に部分指定ができ、容易且つ効率的に処理シートを作成できる。また、この場合、目立つ文字サイズ等をキーワードに設定することにより、それを目立たせて、さらに見栄えの良い処理シートとすることもできる。
【００１７】
また、上述の各文字情報処理装置において、前記処理シート上の前記墨字印刷の領域および前記点字打刻の領域の少なくとも一方の配置を、他方に対応して割り付けるために、前寄せ、中寄せおよび後寄せのうちの複数種の割付方法のうちの任意の１を選択する割付選択手段をさらに備えたことが好ましい。
【００１８】
この文字情報処理装置では、前寄せ、中寄せおよび後寄せのうちの２種以上（複数種）の割付方法のうちの任意の１を選択することにより、墨字印刷の領域および点字打刻の領域の少なくとも一方の配置を、他方に対応して割り付けられるので、これらの割付の工夫（選択）によって、共通の処理シート上に、墨字と点字とを容易且つ見栄え良く配置することができる。
【００１９】
また、本発明のプログラムは、上述のいずれかの文字情報処理装置を機能させること、または、上述の文字情報処理方法を実行可能なことを特徴とする。また、本発明の記憶媒体は、上述のプログラムを、プログラム処理可能な装置によって読出可能に記憶することを特徴とする。
【００２０】
このプログラムでは、上述のいずれかの文字情報処理装置を機能させることができるので、または、上述の文字情報処理方法を実行可能なので、プログラム処理可能な装置によって処理されることにより、または、プログラム処理可能な装置によって記憶媒体に記憶されたプログラムを読み出して実行することにより、
点字による認識性に影響を与えることなく、墨字と点字とを共通の処理シート上に見栄え良く配置できる。
【発明を実施するための最良の形態】
【００２１】
以下、本発明の一実施形態に係るラベル作成装置（文字情報処理装置）について、添付図面を参照しながら詳細に説明する。
【００２２】
図１および図２に示すように、このラベル作成装置１は、手持ち部分１３を有する装置ケース２により外郭が形成され、装置ケース２は、前部ケース２ａと後部ケース２ｂとが一体形成されている。前部ケース２ａは、墨字印刷部１２０を有し、テープカートリッジＣから繰り出されるテープ（処理シート）Ｔに対して墨字印刷を行う。また、後部ケース２ｂは、点字打刻部１５０を有し、ユーザがテープＴを手差し挿入した墨字印刷後のテープＴに対して点字打刻を行う。
【００２３】
前部ケース２ａの前部上面には各種入力キーを備えたキーボード３が配置されると共に、後部上面には開閉蓋２１が取り付けられ、開閉蓋２１には長方形のディスプレイ４が配設されている。また、開閉蓋２１の内側左部にテープカートリッジＣを装着するためのカートリッジ装着部６（墨字印刷部１２０）が窪入形成されており、テープカートリッジＣは、蓋体開放ボタン１４の押下により開閉蓋２１が開放された状態でカートリッジ装着部６に着脱自在に装着される。また、開閉蓋２１には、これを閉止した状態でテープカートリッジＣの装着／非装着を視認するための覗き窓２１ａが形成されている。
【００２４】
前部ケース２ａの右側部には、電源供給のための電源供給口１１と、パソコン等の図外の外部装置と接続するための接続口（インタフェース）１２が形成されており、接続することにより、外部装置からの文字情報に基づいて墨字印刷や点字打刻を行い得るようになっている。また、前部ケース２ａの左側部には、カートリッジ装着部６と外部とを連通する印刷テープ排出口２２が形成され、この印刷テープ排出口２２には、墨字印刷部１２０から送り出したテープＴを切断するための切断部１４０が臨んでいる。そして、切断部１４０によりテープＴの後端部が切断されることにより、印刷テープ排出口２２から墨字印刷後のテープＴが排出される。
【００２５】
また、ラベル作成装置１は、図３に示すように、制御系から見た基本的な構成として、キーボード３およびディスプレイ４を有して、文字情報の入力や各種情報の表示などマンマシンインタフェースを司る操作部１１０と、テープカートリッジＣ、印刷ヘッド７および印刷送りモータ１２１を有して、テープＴおよびインクリボンＲを搬送しながらテープＴ上に墨字印刷を行う墨字印刷部１２０と、フルカッタ１４２およびハーフカッタ１４４並びにこれらをそれぞれ駆動するフルカッタモータ１４１およびハーフカッタモータ１４３を有して、印刷済みテープＴを切断する切断部１４０と、を備えている。
【００２６】
また、ソレノイド４７、打刻ピン４１および打刻送りモータ１５１を有して、テープＴを搬送しながらテープＴに点字打刻を行う点字打刻部１５０と、テープＴ（テープカートリッジＣ）の種別を検出するテープ識別センサ１７１、点字打刻部１５０においてテープＴの先端を検出する先端検出センサ９１、同じく点字打刻部１５０においてテープＴに印刷された前後識別情報Ｄを検出する前後識別センサ９２、印刷送りモータ１２１の回転速度を検出する印刷部回転速度センサ１７２、および打刻送りモータ１５１の回転速度を検出する打刻部回転速度センサ１７３を有して、各種検出を行う検出部１７０と、をさらに備えている。
【００２７】
また、ディスプレイドライバ１８１、ヘッドドライバ１８２、印刷送りモータドライバ１８３、カッタモータドライバ１８４、打刻ドライバ１８５および打刻送りモータドライバ１８６を有し、各部を駆動する駆動部１８０と、各部と接続され、ラベル作成装置１全体を制御する制御部２００と、をさらに備えている。
【００２８】
制御部２００は、ＣＰＵ２１０、ＲＯＭ２２０、ＲＡＭ２３０および入出力制御装置（以下、「ＩＯＣ：Input Output Controller」という）２５０を備え、互いに内部バス２６０により接続されている。ＲＯＭ２２０は、墨字印刷処理や点字打刻処理等の各種処理をＣＰＵ２１０で制御するための制御プログラムを記憶する制御プログラムブロック２２１と、墨字印刷を行うための文字フォントデータや点字打刻を行うための点字フォントデータの他、前後識別情報Ｄを墨字印刷するためのデータや点字データの打刻制御のための制御データ等を記憶する制御データブロック２２２とを有している。
【００２９】
ＲＡＭ２３０は、フラグ等として使用される各種ワークエリアブロック２３１の他、生成された墨字データを記憶する墨字データブロック２３２と、生成された点字データを記憶する点字データブロック２３３と、ディスプレイ４に表示するための表示データを記憶する表示データブロック２３４と、設定された墨字印刷領域（印刷配置部）Ｅｐと点字打刻領域（打刻配置部）Ｅｂのレイアウトを記憶するレイアウトブロック２３５と、設定されたレイアウトに応じて点字データを１８０°回転させた状態で打刻する場合に使用する反転点字データＢ´（図９参照）を記憶する反転点字データブロック２３６と、を有し、制御処理のための作業領域として使用される。また、ＲＡＭ２３０は電源が切断されても記憶したデータを保持しておくように常にバックアップされている。
【００３０】
ＩＯＣ２５０には、ＣＰＵ２１０の機能を補うと共に各種周辺回路とのインタフェース信号を取り扱うための論理回路が、ゲートアレイやカスタムＬＳＩなどにより構成されて組み込まれている。これにより、ＩＯＣ２５０は、キーボード３からの入力データや制御データあるいは検出部１７０の各種センサ値を、そのまま或いは加工して内部バス２６０に取り込むと共に、ＣＰＵ２１０と連動して、ＣＰＵ２１０から内部バス２６０に出力されたデータや制御信号を、そのまま或いは加工して駆動部１８０に出力する。
【００３１】
そして、ＣＰＵ２１０は、上記の構成により、ＲＯＭ２２０内の制御プログラムに従って、ＩＯＣ２５０を介してラベル作成装置１内の各部から各種信号・データを入力するとともに、入力した各種信号・データに基づいてＲＡＭ２３０内の各種データを処理し、ＩＯＣ２５０を介してラベル作成装置１内の各部に各種信号・データを出力することにより、墨字印刷処理や点字打刻処理の制御などを行う。
【００３２】
例えば、ＣＰＵ２１０は、キーボード３より文字情報が入力されると、これに基づいて墨字データＰおよび点字データＢを生成し、必要に応じて両データ間での長さ等の調整を行うとともに、反転点字データＢ’を用意する（図９参照）。また、調整前または調整後の墨字データ（余白データを含む）Ｐを墨字データブロック２３２に記憶すると共に、同じく調整前または調整後の点字データ（余白データを含む）Ｂを点字データブロック２３３に記憶し、反転点字データＢ’を反転点字データブロック２３６に記憶する。
【００３３】
また、キーボード３から墨字印刷および点字打刻の指示を取得すると、印刷送りモータ１２１の駆動を開始し、印刷部回転速度センサ１７２の検出結果に応じて印刷ヘッド７を駆動することにより、墨字データＰに基づく墨字印刷を行うと共に、予め制御データブロック２２２内に記憶されているデータに基づいて、挿入するテープＴの前後識別情報Ｄの印刷も行う。その後、墨字データに基づいて（必要に応じて調整済みの）所定長さのテープ送りを行い、フルカッタ１４２によりテープ後端部を切断して、印刷テープ排出口２２からテープＴを排出する。
【００３４】
また、図１〜図３を参照して、引き続き（リセット操作や電源オフ操作が無い状態で）、ユーザによる手差し挿入により、短冊状に切断されたテープＴが打刻テープ挿入口３１に挿入されると、打刻ユニット８０およびテープ送り機構６０を駆動することにより、点字データＢまたは反転点字データＢ′に基づいて点字打刻を行う。そして、打刻終了後、打刻送りモータ１５１の駆動により、点字データＢ等に基づく調整済みの所定長さのテープ送りを行って、打刻テープ排出口３２からテープＴを排出する。なお、打刻ユニット８０による打刻開始は、先端検出センサ９１によるテープ先端の検出をトリガとするのではなく、ユーザがキーボード３上の打刻開始キーを押下することにより手動開始させることも可能である。
【００３５】
ここで、図４を参照し、テープＴ上に形成される点字Ｂ（６点点字Ｂ）について説明する。
【００３６】
点字器や点字タイプライタ等で慣用されている１文字（１マス）や文字間（マス間）の仕様（以下「民間仕様」）によれば、同図に示すように、６点点字Ｂは、縦３個×横２個の６個の点（打刻ポイント：いわゆる「１の点」〜「６の点」と呼ばれる６個の点：図右上に注記）で１マス２０１が構成され、６個の点のうちの打刻点および非打刻点のパターンにより、この１マス２０１で、１文字または濁点等の属性を表現するものである、例えば図４（ａ）は、１の点、２の点、５の点、６の点を打刻点とし、３の点、４の点を非打刻点とすることにより、文字情報「し」を表現する点字（点字データ）Ｂを示す図である。
【００３７】
なお、点字Ｂには、このような仮名文字や数字等を表す６点点字Ｂの他、漢字を表す８点点字（１マスが縦４個×横２個の点で構成される点字）も使用されている。ここでは、６点点字Ｂを形成する場合を例に挙げて説明するが、８点点字を形成するラベル作成装置においても本発明は適用可能である。
【００３８】
６点点字Ｂは、１マス２０１が縦３個×横２個の配置パターンで６個の打刻ポイント２０１ａ〜２０１ｆに分割されており、縦方向のピッチが略２．４ｍｍ、マス内の横方向のピッチが略２．１ｍｍ、マス間のピッチは略３．３ｍｍとなっている。同図では、６個の打刻ポイント２０１ａ〜２０１ｆのうち「し」を表現すべく４個の打刻ポイント２０１ａ、２０１ｂ、２０１ｅ、２０１ｆが選択的に打刻されて、テープＴ上に例えば角の丸まった円筒形、半球形、円錐形、四角錐形等の断面形状（図４（ｂ）参照）を有する４個の打刻凸部２０２ａ、２０２ｂ、２０２ｅ、２０２ｆが形成されている。なお、６点点字Ｂを打刻するためには、１マス２０１の大きさ（テープ幅方向長さ）から換算して、最低限テープ幅１２ｍｍ（テープＴ３）が必要となっている。
【００３９】
また、実施形態のラベル作成装置１は、打刻ユニット８０として相互に交換可能な２種類のユニットが用意されており、一方は直径が略１．４ｍｍの小形の小打刻凸部２０３を形成し、他方は直径が略１．８ｍｍの大形の大打刻凸部２０４を形成する。大小２種類の打刻凸部２０３、２０４は、その用途によって使い分けられるものであり、例えば、小打刻凸部２０３が点字Ｂの読み取りに慣れた者（先天盲者）向けであって、大打刻凸部２０４が初心者（中途失明者）向けである。
【００４０】
図１〜図３を参照して、さらに詳述する。キーボード３には、文字キー群３ａ、および各種動作モード等を指定するための機能キー群３ｂが配列されている。文字キー群３ａは、墨字印刷や点字打刻を行うための文字情報を入力するためのものであり、ＪＩＳ配列に基づいたフルキー構成となっている。また、機能キー群３ｂには、一般のワープロ等と同様に、処理の取り消し等のための取消キー、カーソル移動用のカーソルキー、各種選択画面における選択肢の決定やテキスト入力時の改行のための確定（エンター）キーなどが含まれる。
【００４１】
また、さらに機能キー群３ｂには、墨字印刷や点字打刻を実行させるための印刷・実行キー（印刷キー）、点字打刻部１５０におけるテープＴの送り開始を指示する送り開始キー、手動により点字打刻を行わせる打刻開始キーの他、墨字印刷や点字打刻を行うための処理モードを選択するモードキー、墨字印刷領域（印刷配置部）Ｅｐと点字打刻領域（打刻配置部）Ｅｂの配置を設定するレイアウトキー、その配置結果を印刷等の実行前にスクロール表示させるためのスクロールキー、墨字スタイル設定のための墨字スタイルキー、墨字内での点字で表現する範囲を設定する点字変換キーなどが含まれる。
【００４２】
モードキーによって選択される処理モードとしては、入力された文字情報に基づいて墨字印刷および点字打刻を行う第１処理モード（図８（ａ）参照）、入力された文字情報に基づいて墨字印刷のみを行う第２処理モード（同図（ｂ）参照）、入力された文字情報に基づいて点字打刻のみを行う第３処理モード（同図（ｃ）参照）があり、いずれか１つの処理モードが選択される。
【００４３】
ディスプレイ４は、横方向（Ｘ方向）約１２ｃｍ×縦方向（Ｙ方向）５ｃｍの長方形の形状の内側に、１９２ドット×８０ドットの表示画像を表示可能であり、ユーザがキーボード３から文字情報を入力して、墨字データや点字データを作成・編集したりする際に用いられる。また、各種エラーやメッセージ（指示内容）を表示し、ユーザに報知する。
【００４４】
墨字印刷部１２０において、カートリッジ装着部６には、ヘッドカバー２０ａ内にサーマルヘッドから成る印刷ヘッド７が内蔵されたヘッドユニット２０と、印刷ヘッド７に対峙するプラテン駆動軸２５と、インクリボンＲを巻き取る巻き取り駆動軸２３と、テープリール１７の位置決め突起２４と、を備えている。また、カートリッジ装着部６の下側には、プラテン駆動軸２５および巻き取り駆動軸２３を回転させる印刷送りモータ１２１が内蔵されている。
【００４５】
テープカートリッジＣは、カートリッジケース５１内部にテープリール１７とリボンリール１９とを収容して構成されており、テープＴとインクリボンＲは同じ幅で構成されている。また、ヘッドカバー２０ａに差し込むための貫通孔５５が形成されており、テープＴとインクリボンＲとが重なる部分に対応して、プラテン駆動軸２５に嵌合されて回転駆動するプラテンローラ５３が配置されている。また、リボンリール１９から繰り出されたインクリボンＲは、ヘッドカバー２０ａを周回して、リボンリール１９に近接配置されたリボン巻き取りリール５４に巻き取られるようになっている。
【００４６】
テープカートリッジＣがカートリッジ装着部６に装着されると、ヘッドカバー２０ａに貫通孔５５が、位置決め突起２４にテープリール１７の中心孔が、プラテン駆動軸２５にプラテンローラ５３が、巻き取り駆動軸２３にリボン巻き取りリール５４の中心孔がそれぞれ差し込まれ、テープＴおよびインクリボンＲを挟み込んで印刷ヘッド７がプラテンローラ５３に当接して墨字印刷が可能になる。そして、墨字印刷後のテープＴは、印刷テープ排出口２２に送られる。
【００４７】
テープＴは、裏面に粘着剤層（粘着層）が設けられた基材テープ（基材シート：情報形成層）Ｔｂと、この粘着剤層を覆うように基材テープＴｂに貼付された剥離テープ（剥離シート：剥離層）Ｔｅとから構成されている。基材テープＴｂは、表側から、インクリボンＲから感熱転写されるインクの定着性を高めた受像層と、基材テープＴｂの主体を為すポリエチレンテレフタレート（ＰＥＴ）製のフィルムで構成された基材層と、粘着剤で構成された粘着剤層と、を積層して構成されている。剥離テープＴｅは、基材テープＴｂをラベルとして使用する時まで粘着剤層に埃などが付着しないようにするためのものであって、表面にシリコン処理がなされた上質紙（実施形態のものはＰＥＴ製）などで構成されている。
【００４８】
また、テープＴは、テープ種別（テープ幅、テープ色、墨字インク色、テープ材質など）が異なる複数種のものが用意されており、この種別を指標する複数の孔（図示省略）がカートリッジケース５１の裏面に設けられている。また、複数の孔に対応してカートリッジ装着部６には、これらを検出するテープ識別センサ（マイクロスイッチ）１７１が複数設けられており、このテープ識別センサ１７１の状態を検出することで、テープ種別を判別できるようになっている。なお、本実施形態では、テープ幅２４ｍｍ（テープＴ１）、テープ幅１８ｍｍ（テープＴ２）、テープ幅１２ｍｍ（テープＴ３）の３種を例に挙げて説明する（図６参照）。
【００４９】
次に、切断部１４０において、フルカッタ１４２は、詳細は図示しないが、上下方向にスライドカット可能な斜刃のカッタ刃を有するスライド形式のもので、フルカッタモータ１４１を駆動源とするクランク機構を介して、カッタ刃（カッタホルダ）を、テープＴの幅方向にスライド動作させるようになっている。カッタ刃がスライド動作すると、これに臨むテープＴの基材テープＴｂおよび剥離テープＴｅの両方を切断、すなわちテープＴをフルカットするようになっている。
【００５０】
また、同様に、ハーフカッタ１４４は、フルカッタ１４２と概ね同形状のスライドカット可能な斜刃のカッタ刃を有するスライド形式のもので、テープ送り上流側（テープカートリッジＣに近い側）に配設され、ハーフカッタモータ１４３を駆動源とするクランク機構を介して、テープＴの幅方向にスライド動作可能に構成されている。この場合、カッタ刃の突出量は、フルカッタ１４２の場合と異なり、基材テープＴｂのみをカットする突出量に調整され、カッタ刃がスライド動作すると、これに臨むテープＴの基材テープＴｂのみを切断、すなわちテープＴをハーフカットするようになっている。
【００５１】
一方、後部ケース２ｂには、その内部に点字打刻を行うアッセンブリ（点字打刻部１５０）が組み込まれ、その上面は点字打刻部１５０（具体的には、テープ走行路７０、打刻ユニット８０およびテープ送り機構６０）が露出するように十字状に開放されている。また、この切り欠き開口部３０の右部にはユーザによりテープＴが手差し挿入される打刻テープ挿入口３１が形成され、左部には点字打刻後のテープＴが排出される打刻テープ排出口３２が形成されている。
【００５２】
点字打刻部１５０は、３個の打刻ピン４１（図５（ｂ）参照）により点字打刻を行う打刻ユニット８０と、打刻テープ挿入口３１に挿入されたテープＴを打刻テープ排出口３２に向けて送るテープ送り機構６０と、テープＴが搬送されるテープ走行路７０とを有し、テープ送り機構６０の駆動によりテープ走行路７０に沿って送られていくテープＴに対し、打刻ユニット８０により３個の打刻ピン４１を選択的に駆動することで点字Ｂが形成される。
【００５３】
次に、打刻ユニット８０は、図５に示すように、テープＴの裏面側に配設されると共に上記３個の打刻ピン４１が組み込まれた打刻部材（打刻ヘッド）８１と、テープＴを挟んで打刻部材８１と対向する位置で打刻ピン４１を受ける打刻受け部材８２とを備え、テープ走行路７０の幅方向における図示下端部に固定配置されている。
【００５４】
打刻部材８１は、テープ幅方向（同図（ａ）における上下方向）に沿って、２．４ｍｍの間隔で配列された３個の打刻ピン４１を備えており、６個のうち縦３個の打刻ポイント２０１ａ〜２０１ｃ（または２０１ｄ〜２０１ｆ）に対応していると共に、ソレノイド４７を駆動源とした直線運動をガイドするガイド部材４５によって、テープＴに対し垂直に保持されている。打刻ピン４１の頭部４１ａは、打刻した打刻凸部２０２の形状が角の丸まった円筒形、半球形、円錐形、四角錐形等の断面形状（図４（ｂ）参照）となるような形状に形成されている。
【００５５】
ここで、ソレノイド４７によりプランジャー４８が直線運動を行うと、アーム部材４６が支持部材４９を支点として回動し、打刻ピン４１がテープＴに対し垂直方向に直線運動を行う。そして、３個のアーム部材４６にそれぞれ接続された３個のソレノイド４７は、三角形状の角部に位置するようにそれぞれ配設されている。一方、打刻受け部材８２は、３個の打刻ピン４１と対向する面４２ａに、３個の打刻ピン４１に対応する３個の打刻受け凹部４３が形成されている。そして、この打刻ピン４１と打刻受け部材８２とにより、テープＴに打刻凸部２０２を形成する。
【００５６】
また、点字打刻部１５０は、図６に示すように、テープＴの搬送をガイドするガイド部材７１、７２と、テープＴの先端を検出する透過型の先端検出センサ９１と、テープＴの前後を識別するための前後識別情報Ｄを検出する反射型の前後識別センサ９２（検出センサ）と、をさらに備えている。前後識別情報Ｄとしては、図示のとおり、テープＴの先端部且つ図示下端部付近に点「・」が印刷されており、これによってテープの挿入方向（前側）が指標されている。
【００５７】
打刻テープ挿入口３１には、テープ幅の大きいものからテープＴ１、Ｔ２、Ｔ３（テープ幅２４、１８、１２ｍｍ）が挿入可能であり、最大テープ幅のテープＴ１については上下ガイド７１、７２によってガイドされ、それ以外のテープＴ２、Ｔ３については、下ガイド部材７１のみによってガイドされ、ユーザによりその先端がテープ送り機構６０（送りローラ６１）に到達するまで（挿入可能な位置まで）手差し挿入される。そして、キーボード３上のテープ送り開始キーの押下によりテープ送り機構６０によるテープ送りが開始される。
【００５８】
次に、図７〜図９を参照し、ラベル作成装置１の全体処理について説明する。図７に示すように、電源キーの押下（電源オン）により処理が開始すると、まず、前回の電源オフ時の状態に戻すために、退避していた各制御フラグを復旧するなどの初期設定を行い（Ｓ１０）、テープ識別センサ１７１（図３参照）によりテープ種別を検出し（Ｓ１１）、続いて、ユーザによるキーボード３からの（またはパソコン等の外部装置からの）データ入力により文字情報が入力され、編集画面等として各種の情報が表示される（Ｓ１２）。
【００５９】
ここで、キーボード３からのモード選択指示（モードキー入力）により（または外部装置からの指示入力により）、モード選択割込が発生すると（ＩＮＴＭ）、処理モード選択の処理が起動され、第１処理モード（墨点併記）、第２処理モード（墨字のみ）および第３処理モード（点字のみ）のいずれかが選択される（Ｓ１３）。
【００６０】
また、レイアウト設定指示（レイアウトキー入力）により（または外部装置からの指示入力により）、レイアウト設定割込が発生すると（ＩＮＴＬ）、レイアウト設定の処理が起動され（Ｓ３０）、墨字スタイル設定指示（墨字スタイルキー入力）により（または外部装置からの指示入力により）、墨字スタイル設定割込が発生すると（ＩＮＴＳ）、墨字スタイル設定が起動され（Ｓ３１）、点字変換設定指示（点字変換キー入力）により（または外部装置からの指示入力により）、点字変換設定割込が発生すると（ＩＮＴＡ）、点字変換設定が起動され（Ｓ３２）、印刷／実行指示（印刷キー入力）により（または外部装置からの指示入力により）、印刷割込が発生すると（ＩＮＴＧ）、実行前設定の処理が起動される（Ｓ１４）。
【００６１】
ここで、実行前設定（Ｓ１４）では、実際の墨字印刷や点字打刻に際してその時点で必要とされる割付配置等の設定や各設定の最終確認等が行われる。なお、モード選択割込、レイアウト設定割込、墨字スタイル設定割込、点字変換設定割込などがないまま、印刷割込が発生したときには（ＩＮＴＧ）、デフォルトとして前回の設定のモード（初期設定では、第１処理モード、点字下段、墨点並行、標準、明朝８ｍｍ等）が選択される。そして、実行前設定（Ｓ１４）が終了すると、実際の墨字印刷や点字打刻の処理を開始する。
【００６２】
すなわち、図７および図８（ａ）に示すように、第１処理モードの場合（Ｓ１３：（ａ））、墨字印刷部１２０による墨字Ｐの印刷（墨字印刷）を行った後（Ｓ１５）、テープカットと印刷テープ排出口２２からのテープＴの排出を行い（Ｓ１６）、ディスプレイ４上に打刻テープ挿入口３１へのテープ挿入指示を表示する（Ｓ１７）。なお、この指示表示は、インジケータやＬＥＤによって行っても良い。
【００６３】
テープ挿入指示に従って、ユーザによりテープＴが打刻テープ挿入口３１に挿入（手差し挿入）されると、点字打刻部１５０により点字Ｂの打刻（点字打刻）を行った後（Ｓ１８）、打刻テープ排出口３２から打刻済みテープＴを排出し（Ｓ１９）、処理を終了する（Ｓ２７）。この場合、点字打刻部１５０では、前後識別情報Ｄの検出を行い、検出結果と設定されたレイアウトに応じた点字打刻方向に基づいて、テープ挿入方向が間違っている場合には、点字打刻を行わないようにしている。なお、設定により、前後識別情報Ｄの印刷を省略することも可能であり、また、その検出を行うか否かを選択できるようにしても良い（以下、説明および図面において、前後識別情報Ｄは、適宜、省略する）。
【００６４】
また、第２処理モードの場合（Ｓ１３：（ｂ））、墨字印刷部１２０による墨字印刷の後（Ｓ２０）、テープカット・排出を行い（Ｓ２１）、処理を終了する（Ｓ２７）。すなわち、第２処理モードでは、図８（ｂ）に示すように、装着されたテープカートリッジＣから繰り出されたテープＴが墨字印刷部１２０へ送られることによって墨字Ｐを印刷する。
【００６５】
また、第３処理モードの場合（Ｓ１３：（ｃ））、ディスプレイ４上に打刻テープ挿入口３１へのテープ挿入指示を表示し（Ｓ２４）、ユーザによるテープ挿入により点字打刻を行った後（Ｓ２５）、打刻テープ排出口３２から打刻済みテープＴを排出し（Ｓ２６）、処理を終了する（Ｓ２７）。すなわち、第３処理モードでは、図８（ｃ）に示すように、短冊状のテープ（任意の長さにカットされたテープ）Ｔが手差し挿入により点字打刻部１５０に送られて、点字Ｂを打刻する。また、この場合も、第１処理モードの場合と同様に、点字打刻部１５０において、前後識別情報Ｄの検出結果と設定されたレイアウトの点字打刻方向に対して挿入方向が間違っている場合、点字打刻を行わないようにしている。
【００６６】
なお、手差し挿入のための短冊状のテープＴを入手するために、テープ挿入指示（Ｓ２４）の前に、図７および図８（ｃ）に点線で図示のように、第１処理モードの墨字印刷の代わりの空印刷（何も印刷しないでテープ送りのみ）を行った後（Ｓ２２）、テープカット・排出を行い（Ｓ２３）、排出されたテープカット後のテープＴを、手差し挿入用の短冊状のテープＴとして利用しても良い。また、点字打刻部１５０の上流側にテープカートリッジＣを装着し、テープカートリッジＣから繰り出された長尺状のテープに点字打刻を行わせることも可能である。また、墨字印刷と点字打刻は、同じ文字情報に基づいて印刷／打刻するのではなく、異なる文字情報に基づいて実行することも可能である。
【００６７】
次に、レイアウト設定（Ｓ３０）では、テープ幅検出結果（Ｓ１１）および処理モード選択結果（Ｓ１３）に基づいて、主な設定として、テープＴ上における墨字印刷領域（印刷配置部）Ｅｐや点字打刻領域（打刻配置部）Ｅｂの相対位置や（図９、図１４等参照）、各配置部の長さ（印刷配置部長さＰＬ、打刻配置部長さＢＬ、共通配置部長さＣＬ等）が設定され（図１３（ｃ）等参照）、その他、墨字印刷の文字サイズなど、一般的なテープ印刷装置やワープロ等と同様の設定が行われる。
【００６８】
そして、特に第１処理モード（墨点併記）の場合、図９に示すように、テープ幅の検出結果が２４ｍｍ（テープＴ１）の場合は（同図（ａ）参照）、印刷配置部Ｅｐが上段，打刻配置部Ｅｂが下段（ａ―１：以下「点字下段」）、または印刷配置部Ｅｐが下段，打刻配置部Ｅｂが上段（ａ―２：以下「点字上段」）のいずれかのレイアウトが選択される。
【００６９】
また、テープ幅１８ｍｍ（テープＴ２）の場合も（図９（ｂ）参照）、点字下段（ｂ―１）、点字上段（ｂ―２）のいずれかが選択されることとなるが、この場合、テープ幅に合わせて印刷配置部Ｅｐのテープ幅方向長さが短くなる。なお、これらのテープＴ１やテープＴ２の場合、墨字と点字とを並行に配置するレイアウト（以下「墨点並行」）以外に、自由に（例えば大きく）印刷した墨字の一部に点字を重ねるレイアウト（以下「墨点重ね」）を選択して、設定できるようになっている。
【００７０】
なお、テープ幅１２ｍｍ（テープＴ３）の場合は（図９（ｃ）参照）、テープ幅が点字１マス２０１の大きさ（テープ幅方向長さ）を打刻可能な最低の長さであるため（図４（ａ）参照）、点字上段・下段の選択、墨点並行／重ねの選択・設定に拘わらず、印刷配置部Ｅｐと打刻配置部Ｅｂが重なり合ったレイアウトのみとなる。
【００７１】
次に、ラベル作成時の操作およびそれにより作成される各種ラベルの例について、さらに具体的に詳述する。
【００７２】
まず、例えば図１０に示すように、テキスト編集開始前の初期状態では、検出したテープ幅（例えば２４ｍｍ）と編集を開始する１行目の行番号を表示するとともに、１行目の１文字目の入力を促すカーソルＫを表示する（テキスト編集画面：画面Ｄ００：以下、ディスプレイ４の表示画面の状態を画面Ｄｘｘとし、Ｄｘｘのみで説明および図示する。）。
【００７３】
ここで、操作例として、文字キーおよび漢字変換キー等により、例えば１行目の文字（キャラクタ）列として「長野県塩尻市中央」が入力されると、その内容を表示する（Ｄ０１：図７のＳ１２の状態：図示および以下に説明する「テキスト編集画面」も全てＳ１２の状態）。また、ラベル作成装置１では、ユーザは、キー入力による各種指示等や入力データを取消キーまたは削除キーによって取り消すことができ、例えば上述の状態（Ｄ０１）では、８文字入力なので、８回の削除キーの押下（１回に１文字ずつの削除）により、あるいは１行目確定前なので取消キーの押下により、元の状態（Ｄ０１）に戻すことができる。以下に説明する各画面等についても、同様なので、これらについて、以下では説明は省略する。
【００７４】
この状態から（Ｄ０１）、続いて同様に、文字列「1-1-10」が入力されると、その内容を表示する（Ｄ０２）。ここで、１行目終了として確定（エンター）キーが押されると、１行目を確定して、２行目を示す行番号を表示するとともに、２行目の１文字目の入力を促す（Ｄ０３）。ここから同様に、文字列「めぐみ点字図書館」が入力されると、その内容を表示する（Ｄ０４）。
【００７５】
この状態から、すなわち１行目「長野県塩尻市中央1-1-10」および２行目「めぐみ点字図書館」が入力された状態から（Ｄ０４）、印刷キーが押下されると（図７のＩＮＴＧ）、第１処理モード（墨点併記）が選択され、墨点並行の場合には、テープ幅２４ｍｍを１２ｍｍずつの２つに分けてその一方に、上記２行の墨字を印刷して、他方に、上記２行の墨字に相当する点字を連ねた１行の点字を打刻する。墨点重ねの場合、テープ幅２４ｍｍの全幅を使用して２行の文字列を印刷し、点字側は同様に１行となる。
【００７６】
これらの場合、図示は省略するが、点字側の打刻配置部Ｅｂがテープ長手方向に２行分だけ長々と連なり、打刻配置部長さＢＬの方が印刷配置部長さＰＬより長くなるので、共通配置部長さＣＬ＝ＢＬの長さのラベルを作成することになる。なお、第２処理モード（墨字のみ）の場合は上記第１処理モードの場合の墨字のみの処理、第３処理モード（点字のみ）の場合は点字のみの処理を行ったラベルを作成することになる。
【００７７】
ところで、ラベル作成装置１では、上述のような墨字の全文でなく、一部のみを範囲指定して、その範囲の墨字に相当する分だけの点字を打刻することもできる。なお、ここでは、範囲指定とは言っても、１カ所の範囲ばかりでなく、複数回の範囲指定により複数箇所に飛び飛びの部分を合わせて指定（部分指定）することができるが、以下では理解を容易にするため、１カ所（「めぐみ」の範囲）のみを範囲（部分）指定するものとして説明し、複数箇所については後に補足説明する。
【００７８】
そして、上述の処理が、図７で触れた点字変換設定（Ｓ３２）であり、以下に詳述する。一方、墨字スタイル設定（Ｓ３１）では、墨字全文内の一部を範囲指定して、その部分のスタイル（書体フォントや文字飾りや文字サイズ等を含む）を変更することができる。そして、点字変換設定（Ｓ３２）では、この墨字スタイル設定（Ｓ３１）との組合せによって、多様な範囲指定ができるようになっている。
【００７９】
この場合、例えば図１１に示すように、前述の２行入力後の状態から（Ｄ０４：図１０と共通）、墨字スタイルキーが押されると（図７の墨字スタイル設定割込（ＩＮＴＳ））、図示は省略するが、墨字スタイルの設定画面に移行し、そこで例えば「めぐみ」を範囲指定して「強調処理」（太字化）を行うと、その終了後にその設定結果を表示する（Ｄ１０）。
【００８０】
この状態から、点字変換キーが押されると（図７の点字変換設定割込（ＩＮＴＡ））、点字変換設定のため、その第１階層の選択画面に遷移する（Ｄ１１）。
【００８１】
ここでは、選択肢として、「１．全文」「２．部分」（一部）のいずれかを、カーソル操作によって選択・指定できる（画面遷移直後は前回指定の選択肢をデフォルトとしてカーソル指定して表示：初期設定は「１．全文」）。なお、以下の各種の選択画面においても、基本的に画面遷移直後は、前回指定の選択肢をデフォルトとしてカーソル指定して表示するものとして、説明は省略し、適宜初期設定のみ付記する。
【００８２】
全文に相当する点字を打刻する場合についてはすでに前述したので、ここでは、上記の状態から（Ｄ１１）、カーソル操作により「２．部分」がカーソル指定されてエンターキーの押下により選択（以下単に「選択確定」という）されたとすると、点字（変換）範囲として「部分」を設定して、次に、点字変換対象（点字変換範囲、点字変換部分）として指定する属性を選択する選択画面(第２階層)に遷移する（Ｄ１３）。
【００８３】
この選択画面では、選択肢として、「１．書体」「２．飾り字」「３．強調」「４．斜体」「５．最大文字サイズ」、のいずれかをカーソル操作で選択・指定できる（初期設定は「３．強調」）。ここでは、「３．強調」が選択確定されたとすると、「強調」を設定して、テキスト編集画面（文字情報入力状態）に戻る（Ｄ１４：Ｄ１０と同じ：図７ではＳ１２の状態）。
【００８４】
次に、この状態から（Ｄ１４）、印刷キーが押され、印刷割込が発生すると（図７のＩＮＴＧ）、第１処理モード（墨点併記）且つ墨点並行の場合には、例えば図１３（ｃ）に示すように、テープ幅２４ｍｍの半分の１２ｍｍの領域の一方に、「めぐみ」を強調（太字化）した上記２行の墨字を印刷して、他方に、「めぐみ」の墨字に相当する点字を打刻する。また、例えばテープ幅２４ｍｍで墨点重ねの場合、その２４ｍｍの全幅を使用して２行の文字列を印刷し、点字側は同様に１２ｍｍの領域に打刻する。
【００８５】
これらの場合、点字として打刻されるのは、「めぐみ」に相当する分だけなので、短くて済み、打刻配置部長さＢＬの方が印刷配置部長さＰＬより短くなるので、共通配置部長さＣＬ＝ＰＬの長さのラベルＬ１０を作成することになる。なお、第２処理モード（墨字のみ）の場合は墨字のみ、第３処理モード（点字のみ）の場合は点字のみ、の同様の処理を行ったラベルを作成することになる。
【００８６】
なお、上述の例では、点字変換設定（図７のＳ３２：図１１のＤ１１以降）の方を墨字スタイル設定（図７のＳ３１：図１１のＤ１０〜Ｄ１１）より後に行ったが、順番を逆にして先に行うこともできる。この場合、例えば図１２に示すように、前述の２行入力後の状態から（Ｄ０４：図１０と共通）、点字変換キーが押されると（図７の点字変換設定割込（ＩＮＴＡ））、点字変換設定のため、その第１階層の選択画面に遷移し、同様の操作・処理により、「部分」および「強調」を設定して（Ｄ２０〜Ｄ２２：図１１のＤ１１〜Ｄ１３と同じ）、テキスト編集画面（文字情報入力状態）に戻る（Ｄ２３：画面およびテキスト編集状態はＤ０４と同じ：図７ではＳ１２の状態）。
【００８７】
この状態から、墨字スタイルキーが押されると（図７の墨字スタイル設定割込（ＩＮＴＳ））、図示は省略するが、墨字スタイルの設定画面に移行し、そこで例えば「めぐみ」を範囲指定して「強調処理」（太字化）を行うと、その終了後にその設定結果を表示する（Ｄ２４：図１１のＤ１０やＤ１４と同じ：図７ではＳ１２の状態）。
【００８８】
そして、この状態から（Ｄ２４）、印刷キーが押され、印刷割込が発生すると（図７のＩＮＴＧ）、例えば図１３（ｃ）に示すラベルＬ２０（＝Ｌ１０）が作成される。すなわち、順番に関わらず、図１３に示すように、墨字スタイルの「強調処理」の設定（同図(ａ)参照）と、点字変換対象（点字変換対象文字の属性（スタイル））の指定（同図（ｂ）参照）の双方を行った後に、印刷・打刻を実行することにより、同図（ｃ）のラベルＬ１０（＝Ｌ２０）を作成できる。
【００８９】
なお、上述の例では、打刻配置部Ｅｂの打刻配置部長さＢＬを、共通配置部長さＣＬ（＝ＰＬ）の中央に配置（中央寄せ：中寄せ：センタリング）したが、レイアウト設定（図７のＳ３０）により、図１４に示すように、「中央寄せ」（同図（ａ）参照）の他に、「左寄せ」（前寄せ）としたり（同図（ｂ）参照）、「右寄せ」（後寄せ）としたり（同図（ｃ）参照）、することもできる。
【００９０】
また、上述の例では、範囲指定する墨字スタイルを「強調」（太字化）としたが、図１５に示すように、墨字データの一部（上述の例と同様に主要部である「めぐみ」の部分）に「斜体」を設定し（同図（ａ）のＤ３０）、点字変換対象（文字の属性）として「斜体」を指定し（同図（ｂ）参照）、それらの双方を行った後に、印刷・打刻を実行することにより、同図（ｃ）のラベルＬ３０を作成できる。
【００９１】
同様に、図１６に示すように、墨字データの一部に他の文字より大きな「文字サイズ」を設定し（同図（ａ）のＤ４０）、点字変換対象（文字の属性）として「最大文字サイズ」を指定し（同図（ｂ）参照）、それらの双方を行った後に、印刷・打刻を実行することにより、同図（ｃ）のラベルＬ４０を作成できる。
【００９２】
なお、他の属性である「書体」や「飾り字」（図１１のＤ１３、図）を選択指定した場合には、さらに下位階層の選択画面に遷移して、例えば「書体」では、その下位として、「漢字」「かな」「英数字」等、また、例えば「飾り字」では、その下位として、「淡文字」「白文字」等を選択できる。
【００９３】
また、さらに他種類のスタイル（属性）の中から選択可能としても良く、この場合、例えば図１７に示すように、多階層に分類（グループ分け）し、さらに各種の範囲指定の仕方ができるようにしても良い。この場合、例えば「文字モード」の下位（選択画面）で「文字単位」を選択し、その下位で「斜体・強調」を選択し、その下位で「強調」や「斜体」を選択すれば、上述の図１３や図１５の例と同様になり、また、「文字単位」の下位で「文字サイズ」を選択し、その下位で文字サイズの値を選択すれば、図１６の例と同様のことができる。
【００９４】
また、上述の各例では、入力された墨字の一部（「めぐみ」：キーワード）を範囲指定して、それに対して「強調」等の処理を行って打刻範囲としたが、これらの処理を行わなくても、例えば図１３〜図１６の各（ｂ）や図１７に示す「書体」（文字書体）において、「かな」（ここでは平仮名）を打刻範囲の属性として指定すれば、入力された墨字のまま、「めぐみ」のみを範囲指定でき、同様の点字打刻ができる。
【００９５】
また、逆に言えば、墨字入力時に打刻範囲を意識して、主要部（キーワード）を「かな」で入力したり、強調等の処理を行いながら入力することによって、上述の各例を同様のことを行うこともできる。
【００９６】
また、範囲指定の説明に入る前にも少し触れたが、複数回の範囲指定により複数箇所に飛び飛びの部分を合わせて指定（部分指定）することができる。この意味で、ここでは「部分指定」が「範囲指定」の上位概念となる。
【００９７】
この場合、例えば上述の「めぐみ点字図書館」のうちの「めぐみ図書館」に相当する部分を部分指定する場合、「めぐみ」と「図書館」のように範囲毎にまとめて指定することもできるほか、「め」「ぐ」「み」「図」「書」「館」を文字毎に指定して、強調等の属性を設定したり、「め」「ぐみ」「図書」「館」のように任意の部分に分けて指定して、属性を設定することもできる。もちろん、「めぐみ館」のように部分指定するような場合も同様である。
【００９８】
上述のように、本実施形態のラベル作成装置１では、入力された墨字データ（テキストデータ：文字情報）の全てを表現する墨字印刷ができ、また、主要部（キーワード：例えば上述の「めぐみ」）などの一部を、打刻範囲（打刻部分）として範囲（部分）指定して、それに対応する点字打刻を行うので、文字情報の一部を表現する点字打刻ができる。
【００９９】
この場合、全ての文字情報を表現する墨字印刷なので、全体として文字情報を失うことが避けられるとともに、省略等によって見栄えが損なわれることもない。また一方では、文字情報の一部のみを表現する点字打刻なので、部分指定を主要部のみにするなどの工夫によって、墨字側と同等の情報量を有する情報を表現しつつ、文字情報を省略した点字打刻なので、それに要する領域（打刻配置部）が小さくなり、視覚的な空白部分が目立たなくなって、テープ（処理シート）Ｔの見栄えが損なわれない。
【０１００】
また、この場合、点字のための文字情報は、部分指定のみによって容易且つ効率的に得られる。したがって、共通する処理シートに対して、文字情報の全てを表現する墨字印刷と文字情報の一部を表現する点字打刻とを行って、見栄えの良い処理シートを容易且つ効率的に作成できる。
【０１０１】
また、墨字データの一部（主要部等）に、範囲（部分）属性情報として、例えば全体の文字サイズ等とは異なる文字サイズ等を設定し、それ以前あるいは以後に、属性指定情報として、その文字サイズ等を指定すれば、部分属性情報と属性指定情報とが一致（属性一致）するので、その部分属性情報の部分を打刻部分とすることにより、その墨字データの一部を容易且つ効率的に部分指定ができ、容易且つ効率的に処理シートを作成できる。また、この場合、部分属性情報の設定と属性指定情報の指定との両方が完了した時点で打刻部分の部分指定が終了するので、いずれを先に行っても良く、操作性が良好である。なお、これらの他、従来からの「キーワード検索」と同様の方法により、主要部となるキーワード「めくみ」等を検索して部分指定することもできる。
【０１０２】
また、上述した実施形態において採用された文字情報処理装置としての機能あるいは各種処理方法（文字情報処理方法など）は、上述のラベル作成装置１ばかりでなく、プログラム処理可能な各種の装置によって処理されるプログラムとして適用でき、その種のプログラムを記憶するための記憶媒体にも適用でき、この種のプログラムを記憶しておいて、あるいは記憶媒体等から読み出して、実行することにより、点字による認識性に影響を与えることなく、墨字と点字とを共通の処理シート上に見栄え良く配置でき、見栄えの良い処理シートを容易且つ効率的に作成できる。
【０１０３】
また、上記の記憶媒体としては、ＣＤ−ＲＯＭ、フラッシュＲＯＭ、メモリカード（コンパクトフラッシュ（登録商標）、スマートメディア、メモリースティック等）、コンパクトディスク、光磁気ディスク、デジタルバーサタイルディスクおよびフレキシブルディスク等を利用することができる。もちろん、その他、要旨を逸脱しない範囲で、適宜変更も可能である。
【図面の簡単な説明】
【０１０４】
【図１】実施形態に係るラベル作成装置の外観斜視図。
【図２】図１のラベル作成装置の開蓋状態の外観斜視図。
【図３】図１のラベル作成装置の制御系の概略ブロック図。
【図４】６点点字の説明図および打刻凸部の断面図。
【図５】打刻ユニットの平面図および断面図。
【図６】点字打刻部におけるテープの搬送を説明する説明図。
【図７】ラベル作成装置の全体処理のフローチャート。
【図８】図７の処理モードに関する補足説明図。
【図９】図７のテープ幅の相違に関する補足説明図。
【図１０】文字情報入力のテキスト編集時の操作の説明図。
【図１１】墨字スタイル設定および点字変換設定時の操作の説明図。
【図１２】逆の順序で設定する場合の、図１１と同様の説明図。
【図１３】図１１、図１２の例と対応して作成されるラベルの説明図。
【図１４】別の例を示す、図１３と同様の説明図。
【図１５】さらに別の例を示す、図１３と同様の説明図。
【図１６】さらに別の例を示す、図１３と同様の説明図。
【図１７】墨字スタイル設定の別の例を示す説明図。
【符号の説明】
【０１０５】
１…ラベル作成装置（文字情報処理装置）  ２…装置ケース  ３…キーボード  ４…ディスプレイ  ７…印刷ヘッド  １１０…操作部  １２０…墨字印刷部  １４０…切断部  １４２…フルカッタ  １４４…ハーフカッタ  １５０…点字打刻部  １７０…検出部  １８０…駆動部  ２００…制御部  Ｂ…点字  ＢＬ…打刻配置部長さ  Ｃ…テープカートリッジ  ＣＬ…共通配置部長さ  Ｅｂ…点字打刻領域（打刻配置部）  Ｅｃ…共通処理領域（共通配置部）  Ｅｐ…墨字印刷領域（印刷配置部）  Ｌｘｘ…ラベル  Ｐ…墨字  ＰＬ…印刷配置部長さ  Ｔ、Ｔ１、Ｔ２、Ｔ３……テープ
【図１】
2006103137.tif 000003
【図２】
2006103137.tif 000004
【図３】
2006103137.tif 000005
【図４】
2006103137.tif 000006
【図５】
2006103137.tif 000007
【図６】
2006103137.tif 000008
【図７】
2006103137.tif 000009
【図８】
2006103137.tif 000010
【図９】
2006103137.tif 000011
【図１０】
2006103137.tif 000012
【図１１】
2006103137.tif 000013
【図１２】
2006103137.tif 000014
【図１３】
2006103137.tif 000015
【図１４】
2006103137.tif 000016
【図１５】
2006103137.tif 000017
【図１６】
2006103137.tif 000018
【図１７】
2006103137.tif 000019